(57)【要約】【課題】神社仏閣での御守の授与に伴う制約をクリアーし、かわいらしさ・オリジナリティーのある御守を求めたいという参拝者のニーズを満たす御守を提供する。【解決手段】自由にデコレーション可能な無地の御守袋と御守札とからなる御守セット、およびこの御守袋と御守札とが台紙にセットされ、透明な収納袋に収納されている御守セット。【選択図】図１
0003153726.tif 000002
【実用新案登録請求の範囲】
【請求項１】
自由にデコレーション可能な無地の御守袋と御守札とからなる御守セット。
【請求項２】
自由にデコレーション可能な無地の御守袋と御守札とが台紙にセットされ、透明な収納袋に収納されている御守セット。
【考案の詳細な説明】
【技術分野】
【０００１】
本考案は御守に関し、特に御守を受けた参拝者自らが手を加えることで、自分だけの御守とすることのできる御守りセットに関する。
【背景技術】
【０００２】
一般的に、神社仏閣などで授与される御守は、矩形の御守札とそれを収納した御守袋とからなっている。そして、御守袋には種々の装飾である図柄や地模様と共に、神社仏閣名や、家内安全、学業成就、交通安全など御守のご利益や祈願の内容が表示してあるのが通常である。
【０００３】
しかしながら、御守を授与される参拝者は、御守にかわいらしや・オリジナリティーを求めていることも多いが、神社仏閣が授与所で出すには次のような制約が考えられる。
（１）色々なニーズがあっても数が少なくなるため、願意やご利益を細分化できない。
（２）神社仏閣から授与する御守として今までにない斬新なデザインは出しづらい。
このような神社仏閣での授与に伴う制約をクリアーし、参拝者のニーズを満たす御守への要望が存在していた。
【０００４】
これまでにも、駅売店、スーパーマーケット、コンビニエンスストア等で販売できる御守セットのパッケージとして、水晶玉と御守袋とをセットにし、御守札が印刷された台紙に取り付けパッケージとしたものが提案されている（特許文献１を参照）。この御守セットでは、台紙に金運成就御守、学業成就御守、招福成就御守などの御守札が印刷されており、購入者が好みの水晶玉と御守袋を選び、祈願の内容に応じて御守をセットできるものではあるが、その組み合わせは限定されたものであった。
【先行技術文献】
【特許文献】
【０００５】
【特許文献１】実用新案登録第３０９２７６７号公報
【考案の概要】
【考案が解決しようとする課題】
【０００６】
本考案の課題は、願意やご利益を細分化できないことや今までにない斬新なデザインは出しづらいことなど、神社仏閣での御守の授与に伴う制約をクリアーし、かわいらしさ・オリジナリティーのある御守を求めたいという参拝者のニーズを満たす御守を提供することである。
【課題を解決するための手段】
【０００７】
本考案の御守は、自由にデコレーション可能な無地の御守袋と御守札との組み合わせからなる御守セットである。
【０００８】
そして、自由にデコレーション可能な無地の御守袋と御守札とは台紙にセットされ、透明な袋に収納されて御守セットとなっている。
【０００９】
ここで、自由にデコレーション可能とは、御守を受けた参拝者が油性のサインペンなどの筆記具で自由に絵や文字を書いたり、転写紙の絵や文字を転写したり、シールを貼ったり、ラインストーンで装飾したりなどして、願意や期待するご利益の他、図柄や絵模様など自由に表示や装飾ができることを意味する。また、御守の本体である御守札は、従来と同様に授与する神社仏閣に由来の神仏を表す文字などが書かれたものが用いられる。
【考案の効果】
【００１０】
本考案の御守セットに用いられる御守袋は、御守を受けた参拝者が自由にデコレーションできるために、個人個人の願を、受けた参拝者自身のそれぞれの文字や絵で表現でき、次に示すような、自分用・プレゼント用として、オリジナルティー溢れた御守ができ、まさに「世界に一つだけの御守」ともいえるものとなる。例えば、
（１）個人の名前を入れた合格御守
（２）甲子園優勝！と書いた必勝御守
（３）友達同士で持つ仲良し御守
（４）全面をラインストーンでびっしり装飾した御守
（５）恋人同士の顔を書いた良縁御守
などを示すことができる。
【００１１】
今、若い人の間では手書き風の顔のデザインに人気があり、お菓子やカードにこういった絵を自分で書いて持ったり、仲間の中で同じオリジナルデザインのもの作って共通で持ったりしているが、本考案の御守セットはこのようなニーズにも応えるものである。
【図面の簡単な説明】
【００１２】
【図１】本考案の御守セット実施例の正面図である。
【図２】本考案の御守セット実施例の側面図である。
【図３】御守袋に手書き風の顔を書いた仲良し御守の実施例である。
【考案を実施するための形態】
【００１３】
本考案の実施例につき、図に基づいて説明する。図１または図２に示す実施例では、無地の御守袋１と御守札２とが台紙３にセットされ、透明な収納袋４に収納されている。ここで、御守袋１や御守札２は粘着テープにより台紙４と着脱自在に係止されている。これらのセットを収納し、フラップ状のふた５を粘着剤６により閉じることで、御守セットが構成できる。
【００１４】
この御守セットを授与された参拝者は、ふた５を開き、台紙ごと御守袋１と御守札２とを取り出し、無地の御守袋１の表面に油性のサインペンなどの筆記具で絵や文字を書いたり、シールを貼ったりしてデコレーションを施し、御守札２を御守袋１に収納して、自分だけの御守とすることができる。
【００１５】
御守袋１や御守札２は台紙３に着脱自在に係止されてセットされるが、この場合に上記のように、粘着テープ以外にも、紐、ゴムバンド、リボン、ビニール・タイなどで係止することもできる。また、御守袋１は吊下げ紐７を利用して台紙に係止することもできる。御守袋１や御守札２は、このように台紙３に着脱自在に係止されており、御守を授与された参拝者は、御守袋１を台紙３から外すか、または台紙３に係止されたままで、自由にデコレーションを行い、ついで御守札２を台紙から外し、御守袋１に収納して、自分だけの御守を完成することができる。
【００１６】
図３は御守袋１に手書き風に仲間の顔を書き、仲間同士で同じ御守を持つことのできる仲良し御守の例を示したものである。このとき各文字についても、自由にデザインすることができ、また顔についてもディジタル写真から作成したシールを貼り付けることもできる。また、母校の甲子園出場に際しては、甲子園優勝と書き、卒業生、在校生の仲間で応援に持ってゆく必勝御守も作ることができる。このように、御守を授与された人のアイデア次第で色々な御守を作成することができ、まさに「世界に一つだけの御守」とすることができる。
【００１７】
本考案の御守袋の材質は、自由にデコレーション可能な無地のものであればよく特に制限されないが、天然繊維や再生・合成繊維からなる織物であることが好ましく、特に絹、レーヨン、キュプラ、ナイロン、ポリエステルなどの織物が好ましい。この場合、無地であれば織物に地模様を持つ織物であってもよく、完全に平織りである必要はなく、油性のサインペンなどの筆記具で書いたり、シールを貼ったりすることができればよい。また、不織布であってもよい。これらの材質は油性インキによる筆記具で文字や絵柄を書いてもにじむことが少なく好適な材質である。
【００１８】
御守札は木製の矩形であるものが好ましいが、材質は木製以外にも板紙、金属板、プラスチック板など、形状としては円形、楕円系、多角形などであってもよい。
【００１９】
御守袋や御守札をセットする台紙には、「あなたがつくる、世界に一つだけの御守」などのキャッチフレーズや「大切なあの人にあなたの気持ちのこもった御守を」「自分だけのお気に入りの御守を」「チームオリジナルの御守をみんなで」などの文章のほか、「油性ペンで書いて下さい。」などのデコレーションに際しての注意書きなども印刷しておくことができる。
【００２０】
御守セットを収納する収納袋４は、中がよく見えるように透明であることが好ましい。収納袋の材質は各種のプラスチックフィルム、例えばポリプロピレンフィルム、ポリスチレンフィルム、ポリエチレンフィルム、ポリ塩化ビニルフィルムなど、セロファン紙、およびそれらの複合フィルムなどが使用できる。プラスチックフィルムなどでヒートシール可能なものを使用する場合には、接着剤６を使用することなく、接着剤６が設けてある場所でヒートシールすることでふた５を閉じることもできる。
【符号の説明】
【００２１】
１  御守袋
２  御守札
３  台紙
４  収納袋
５  ふた
６  粘着剤
７  吊下げ紐
【図１】
0003153726.tif 000003
【図２】
0003153726.tif 000004
【図３】
0003153726.tif 000005